(57)【要約】【課題】メディアに記録された画像情報の全体について俯瞰できるようにするとともに、メディアに記録された画像の編集や提示を手軽にかつ適切に行えるようにする。【解決手段】動画像情報を記録媒体１０に記録している場合に、ユーザにより操作部６のブックマークキーが操作された場合に、制御部５が、ブックマークキーが操作されたタイミングに対応する当該動画像情報上の位置を管理するとともに、そのブックマークキーが操作されたタイミングに対応する記録対象の画像を静止画像情報として取り込んで、処理対象の動画像情報と関連付けて管理し、ＬＣＤ８等を通じて、記録媒体に記録されている動画像情報ごとにブックマーク点の静止画像の一覧表示を行うようにする。【選択図】図１
2005293339.tif 000002
【特許請求の範囲】
【請求項１】
動画像情報の記録媒体への記録処理中において、前記動画像情報による動画像の観視者から、前記動画像情報に対する注目点の指示入力を受け付ける受付手段と、
前記受付手段を通じて前記注目点の指示入力を受け付けたタイミングに対応する前記動画像情報の位置にマークを付与するようにするマーク付与手段と、
前記受付手段を通じて前記指示入力を受け付けたタイミングに対応する位置の前記動画像情報を静止画像情報として取り込むようにする取込手段と、
前記マーク付与手段によりマークが付与された位置を示す情報と、前記取込手段により取り込まれる前記静止画情報と、前記動画像情報とを関連付けて管理する管理手段と、
前記管理手段により管理される動画像情報ごとの前記静止画情報の一覧を出力する出力手段と
を備えることを特徴とする情報処理装置。
【請求項２】
請求項１に記載の情報処理装置であって、
記録対象の前記動画像情報の開始静止画像情報を取得する開始画像取得手段と、記録対象の前記動画像情報の終了静止画像情報を取得する終了画像取得手段との一方または両方を備え、
前記管理手段は、前記開始静止画像情報と前記終了静止画像情報との一方または両方と、記録対象の前記動画像情報とを関連付けて管理することができるものであり、
前記出力手段は、前記開始静止画像情報と前記終了静止画像情報との一方または両方を、前記静止画情報の一覧に含めることを特徴とする情報処理装置。
【請求項３】
請求項１または請求項２に記載の情報処理装置であって、
前記動画像情報に対するテキスト情報を受け付けるテキスト受付手段と、前記動画像情報に対する音声情報を受け付ける音声受付手段との一方または両方を備え、
前記管理手段は、前記テキスト情報と前記音声情報との一方または両方と、記録対象の前記動画像情報とを関連付けて管理することができるものであり、
前記出力手段は、前記テキスト情報と前記音声情報との一方または両方についての少なくとも有無を示す情報を、前記静止画情報の一覧に含めることを特徴とする情報処理装置。
【請求項４】
記録媒体からの動画像情報の再生処理中において、前記動画像情報の再生動画像の観視者から、前記動画像情報に対する注目点の指示入力を受け付ける受付手段と、
前記受付手段を通じて前記注目点の指示入力を受け付けたタイミングに対応する前記動画像情報の位置にマークを付与するようにするマーク付与手段と、
前記受付手段を通じて前記指示入力を受け付けたタイミングに対応する位置の前記動画像情報を静止画像情報として取り込むようにする取込手段と、
前記マーク付与手段によりマークが付与された位置を示す情報と、前記取込手段により取り込まれる前記静止画情報と、前記動画像情報とを関連付けて管理する管理手段と、
前記管理手段により管理されている動画像情報ごとの前記静止画情報の一覧を出力する出力手段と
を備えることを特徴とする情報処理装置。
【請求項５】
請求項４に記載の情報処理装置であって、
再生対象の前記動画像情報の開始静止画像情報を取得する開始画像取得手段と、記録対象の前記動画像情報の終了静止画像情報を取得する終了画像取得手段との一方または両方を備え、
前記管理手段は、前記開始静止画像情報と前記終了静止画像情報との一方または両方と、再生対象の前記動画像情報とを関連付けて管理することができるものであり、
前記出力手段は、前記開始静止画像情報と前記終了静止画像情報との一方または両方を、前記静止画情報の一覧に含めることを特徴とする情報処理装置。
【請求項６】
請求項４または請求項５に記載の情報処理装置であって、
前記動画像情報に対するテキスト情報を受け付けるテキスト受付手段と、前記動画像情報に対する音声情報を受け付ける音声受付手段との一方または両方を備え、
前記管理手段は、前記テキスト情報と前記音声情報との一方または両方と、再生対象の前記動画像情報とを関連付けて管理することができるものであり、
前記出力手段は、前記テキスト情報と前記音声情報との一方または両方についての少なくとも有無を示す情報を、前記静止画情報の一覧に含めることを特徴とする情報処理装置。
【請求項７】
請求項１、請求項２、請求項３、請求項４、請求項５または請求項６に記載の情報処理装置であって、
被写体を撮像し、当該被写体の画像を動画像情報として前記記録媒体に記録できるようにする撮像手段を備え、
前記撮像手段を通じて撮像した動画像情報の記録媒体への記録が可能な撮像装置として用いることができることを特徴とする情報処理装置。
【請求項８】
動画像情報の記録媒体への記録処理中において、前記動画像情報による動画像の観視者から、前記動画像情報に対する注目点の指示入力を受け付ける受付ステップと、
前記受付ステップにおいて前記注目点の指示入力を受け付けたタイミングに対応する前記動画像情報の位置にマークを付与するようにするマーク付与ステップと、
前記受付ステップにおいて前記指示入力を受け付けたタイミングに対応する位置の前記動画情報を静止画像情報として取り込むようにする取込ステップと、
前記マーク付与ステップにおいてマークが付与された位置を示す情報と、前記取込ステップにおいて取り込まれる前記静止画情報と、前記動画像情報とを関連付けて管理する管理ステップと、
前記管理ステップにおいて管理するようにされている動画像情報ごとの前記静止画情報の一覧を出力する出力ステップと
を有することを特徴とする情報処理方法。
【請求項９】
請求項８に記載の情報処理方法であって、
記録対象の前記動画像情報の開始静止画像情報を取得する開始画像取得ステップと、  記録対象の前記動画像情報の終了静止画像情報を取得する終了画像取得ステップとの一方または両方を有し、
前記管理ステップにおいては、前記開始静止画像情報と前記終了静止画像情報との一方または両方と、記録対象の前記動画像情報とを関連付けて管理し、
前記出力ステップにおいては、前記開始静止画像情報と前記終了静止画像情報との一方または両方を、前記静止画情報の一覧に含めることを特徴とする情報処理方法。
【請求項１０】
請求項８または請求項９に記載の情報処理方法であって、
記録対象の前記動画像情報に対するテキスト情報を受け付けるテキスト受付ステップと、記録対象の前記動画像情報に対する音声情報を受け付ける音声受付ステップとの一方または両方を有し、
前記管理ステップにおいては、前記テキスト情報と前記音声情報との一方または両方と、記録対象の前記動画像情報とを関連付けて管理し、
前記出力ステップにおいては、前記テキスト情報と前記音声情報との一方または両方についての少なくとも有無を示す情報を、前記静止画情報の一覧に含めることを特徴とする情報処理方法。
【請求項１１】
記録媒体からの動画像情報の再生処理中において、前記動画像情報の再生動画像の観視者から、前記動画像情報に対する注目点の指示入力を受け付ける受付ステップと、
前記受付手段において前記注目点の指示入力を受け付けたタイミングに対応する前記動画像情報の位置にマークを付与するようにするマーク付与ステップと、
前記受付ステップにおいて前記指示入力を受け付けたタイミングに対応する位置の前記動画像情報を静止画像情報として取り込む取込ステップと、
前記マーク付与ステップにおいてマークが付与された位置を示す情報と、前記取込ステップにおいて取り込まれる前記静止画情報と、前記動画像情報とを関連付けて管理する管理ステップと、
前記管理ステップにおいて管理するようにされている前記動画像情報ごとの前記静止画情報の一覧を出力する出力ステップと
を有することを特徴とする情報処理方法。
【請求項１２】
請求項１１に記載の情報処理方法であって、
再生対象の前記動画像情報の開始静止画像情報を取得する開始画像取得ステップと、  記録対象の前記動画像情報の終了静止画像情報を取得する終了画像取得ステップとの一方または両方を有し、
前記管理ステップにおいては、前記開始静止画像情報と前記終了静止画像情報との一方または両方と、再生対象の前記動画像情報とを関連付けて管理することができるものであり、
前記出力ステップにおいては、前記開始画像の静止画像情報と前記終了画像の静止画像情報との一方または両方を、前記静止画情報の一覧に含めることを特徴とする情報処理方法。
【請求項１３】
請求項１１または請求項１２に記載の情報処理方法であって、
前記動画像情報に対するテキスト情報を受け付けるテキスト受付ステップと、前記動画像情報に対する音声情報を受け付ける音声受付ステップとの一方または両方を有し、
前記管理ステップにおいては、前記テキスト情報と前記音声情報との一方または両方と、再生対象の前記動画像情報とを関連付けて管理し、
前記出力ステップにおいては、前記テキスト情報と前記音声情報との一方または両方についての少なくとも有無を示す表示を、前記静止画情報の一覧に含めることを特徴とする情報処理方法。
【請求項１４】
請求項８、請求項９、請求項１０、請求項１１、請求項１２または請求項１３に記載の情報処理方法であって、
被写体を撮像し、当該被写体の画像を動画像情報として前記記録媒体に記録できるようにする撮像ステップを有し、撮像装置において用いられることを特徴とする情報処理方法。
【発明の詳細な説明】
【技術分野】
【０００１】
この発明は、例えば、ビデオカメラ、ＶＴＲ（Video Tape Recorder）、ＤＶＤレコーダーなどの種々の記録媒体に画像情報を記録したり、また、記録媒体に記録されている画像情報を再生したりする装置および方法に関する。
【背景技術】
【０００２】
従来のビデオカメラのような画像記録再生装置においては、１回の録画処理ごと、すなわち、録画を開始するごとに、その録画開始時の撮影画像のサムネイル画像（見本用の縮小画像。以下、単にサムネイルという。）を作成して保持するようにしているものがある。そして、図１２に示すように、再生処理を行う場合に表示する再生する画像情報を選択するための選択画面Ｇにおいて、記録時に作成したサムネイルＳＴ１、ＳＴ２、ＳＴ３、…の一覧表示を行い、目的とする画像情報を選択することができるようにしているものがある。
【０００３】
なお、録画開始時に作成したサムネイルを１画面に表示しきれない場合には、図１２において、前ページアイコンＢＫ、次ページアイコンＦＲを選択することにより、画面のページ切り換えを行うことにより、全てのサムネイルを表示し、選択することができるようにされる。
【０００４】
そして、各サムネイルに対応する一連の記録動画像（録画開始から録画停止までの１まとまりの動画像）に対して、テキストデータや音声メモなどの付随する情報がある場合は、図１２にも示すように、対応するサムネイルの表示上に、テキストアイコンＴＸ１や音声メモアイコンＡｕ２等を配することで、その有無を表示し、ユーザがそのアイコンを選択することでそれら付随情報の内容を参照することができるようにしている。
【０００５】
また、付随情報としてその録画情報の中に注目点があり、これを示したい場合には録画中または再生中においてユーザ操作によりブックマーク（しおり）点としてその注目点にマーキングを行い、再生時の選択でそのブックマーク点を選択することにより、そのブックマーク点からの再生を行うことができるようにされたものも提供されている。例えば、後に記す特許文献１には、メディア（記録媒体）に記録された動画像情報にブックマーク点を付与するようにし、このブックマーク点を用いて、希望するシーン以降の画像を速やかに再生することができるようにする技術が開示されている。
【０００６】
また、動画像に付与するようにされたブックマーク点は、例えば、編集作業を行う際に、カット点や接続の切れ目を示す情報などのいわゆるジャンプポイントとしても利用することができるようにされているものもある。
【特許文献１】特開２０００−３４１６４６号公報
【発明の開示】
【発明が解決しようとする課題】
【０００７】
ところが、上述したように、記録する、あるいは、記録された動画像情報に対して、ブックマーク点を付与する機能を有する画像記録再生装置であっても、メディア内のすべての記録単位の動画像情報、すなわち、録画開始から録画停止までの一連の動画像情報を１記録単位とした場合に、メディアに記録されている複数の記録単位の動画像情報の全てについて、それらの動画像情報に存在する複数のブックマーク点の全体を再確認するためには、各記録単位ごとの動画像情報のそれぞれについて、一連の再生動作を行う必要があり、繁雑な操作と相当の時間が必要となっている。
【０００８】
また、従来の画像記録再生装置において、メディアに記録されている内容（動画像情報）の全体を俯瞰する方法としては、図１２に示したように、一連の記録単位ごとにサムネイルを作成して表示し、付随情報がある場合でもそのサムネイル画面での指定であったために、メディア内で一連の記録を代表する内容を見るには記録者の意図が反映されにくいという問題がある。
【０００９】
すなわち、各記録単位ごとのサムネイルは、その記録単位の動画像の最初の画像など、決まったタイミングで取得される画像であるために、サムネイルを選択する場合でも、似通った録画単位が複数ある場合に、そのうちのどれが重要であり、目的とする録画単位の動画像情報のサムネイルがどれであるかを判別するのが困難であった。
【００１０】
以上のことにかんがみ、この発明は、メディアに記録された全ての画像情報の概要について俯瞰できるようにするとともに、メディアに記録された画像情報の編集や提示を手軽にかつ適切に行えるようにする装置、方法を提供することを目的とする。
【課題を解決するための手段】
【００１１】
上記課題を解決するため、請求項１に記載の発明の情報処理装置は、
動画像情報の記録媒体への記録処理中において、前記動画像情報による動画像の観視者から、前記動画像情報に対する注目点の指示入力を受け付ける受付手段と、
前記受付手段を通じて前記注目点の指示入力を受け付けたタイミングに対応する前記動画像情報の位置にマークを付与するようにするマーク付与手段と、
前記受付手段を通じて前記指示入力を受け付けたタイミングに対応する位置の前記動画像情報を静止画像情報として取り込むようにする取込手段と、
前記マーク付与手段によりマークが付与された位置を示す情報と、前記取込手段により取り込まれる前記静止画情報と、前記動画像情報とを関連付けて管理する管理手段と、
前記管理手段により管理される動画像情報ごとの前記静止画情報の一覧を出力する出力手段と
を備えることを特徴とする。
【００１２】
この請求項１に記載の発明の情報処理装置によれば、動画像情報を記録媒体に記録している場合に、その動画像情報による画像を観視しているユーザからの注目点の指示入力が受付手段を通じて受け付けられると、マーク付与手段により、注目点に対応する記録対象の動画像情報の位置にマークが付与するようにされ、どこが注目点であるかが区別できるようにされる。
【００１３】
また、取込手段により、その注目点に対応する動画像情報の画像が静止画像情報として取得するようにされる。そして、管理手段により、動画像情報と記録対象の動画像情報上の注目点の位置と注目点の静止画像情報とが関連付けられて管理され、出力手段により、記録媒体に記録されている動画像情報ごとに注目点の静止画像の一覧表示などを行うことができるようにされる。
【００１４】
これにより、記録媒体に記録された動画像情報ごとの注目点の静止画像を一覧表示することができ、各動画像情報の内容を俯瞰することができるようにされる。そして、動画情報ごとに、注目点の静止画像情報と注目点のマークとにより、動画像情報の目的とする位置からの再生や編集を手軽にかつ適切に行うことができるようにされる。
【００１５】
また、請求項４に記載の発明の情報処理装置は、
記録媒体からの動画像情報の再生処理中において、前記動画像情報の再生動画像の観視者から、前記動画像情報に対する注目点の指示入力を受け付ける受付手段と、
前記受付手段を通じて前記注目点の指示入力を受け付けたタイミングに対応する前記動画像情報の位置にマークを付与するようにするマーク付与手段と、
前記受付手段を通じて前記指示入力を受け付けたタイミングに対応する位置の前記動画像情報を静止画像情報として取り込むようにする取込手段と、
前記マーク付与手段によりマークが付与された位置を示す情報と、前記取込手段により取り込まれる前記静止画情報と、前記動画像情報とを関連付けて管理する管理手段と、
前記管理手段により管理されている動画像情報ごとの前記静止画情報の一覧を出力する出力手段と
を備えることを特徴とする。
【００１６】
この請求項４に記載の発明の情報処理装置によれば、記録媒体に記録されている動画像情報を再生するようにしている場合に、その動画像情報による画像を観視しているユーザからの注目点の指示入力が受付手段を通じて受け付けられると、マーク付与手段により、注目点に対応する記録対象の動画像情報の位置にマークが付与するようにされ、どこが注目点であるかが区別できるようにされる。
【００１７】
また、取込手段により、その注目点に対応する動画像情報の画像が静止画像情報として取得するようにされる。そして、管理手段により、動画像情報と記録対象の動画像情報上の注目点の位置と注目点の静止画像情報とが関連付けられて管理され、出力手段により、記録媒体に記録されている動画像情報ごとに注目点の静止画像の一覧表示などを行うことができるようにされる。
【００１８】
これにより、記録媒体に記録された動画像情報ごとの注目点の静止画像を一覧表示することができ、各動画像情報の内容を俯瞰することができるようにされる。そして、各動画像情報ごとに、注目点の静止画像情報と注目点のマークとにより、動画像情報の目的とする位置からの再生を迅速に行うようにしたり、また、編集を簡単に行うようしたりする等のことができるようにされる。
【発明の効果】
【００１９】
この発明によれば、動画像情報について、記録時に記録者がより重要だと感じた点、または再生時にあらためて重要であるとした点にマークを付与することができる。また、注目点の画像を静止画像情報として取得することができるので、注目店の静止画像情報による画像の一覧表などの出力により、メディアに記録されている動画像情報の全体を、ユーザの意図を反映した態様で俯瞰することができるようになる。
【００２０】
また、動画像情報に対する静止画像情報の一覧出力により、メディアの内容をその後の編集やプレゼンテーションなどの処理に適した形で提供することが可能となる。
【発明を実施するための最良の形態】
【００２１】
以下、図を参照しながらこの発明による装置、方法の一実施の形態について説明する。以下に説明する実施の形態においては、この発明による装置、方法を画像を撮影して、これを画像情報として記録媒体に記録することができるとともに、記録媒体に記録されている画像情報の再生が可能な記録再生装置である撮像装置（ビデオカメラ装置）に適用した場合を例にして説明する。
【００２２】
なお、以下に説明する実施の形態の撮像装置は、被写体の画像を動画像として取り込むことも、静止画像として取り込むことも可能なものであるが、説明を簡単にするため、被写体の画像を動画像として取り込む場合について説明する。
【００２３】
[撮像装置の構成と基本動作について]
図１は、この実施の形態の撮像装置を説明するためのブロック図である。この実施の形態の撮像装置は、図１に示すように、大きく分けると、カメラ部１と、カメラＤＳＰ（Digital Signal Processor）２と、ＳＤＲＡＭ（Synchronous Dynamic Random Access Memory）３と、媒体インターフェース（以下、媒体Ｉ／Ｆという。）４と、制御部５と、操作部６と、ＬＣＤ（Liquid Crystal Display）コントローラ７と、ＬＣＤ８と、外部インターフェース（以下、外部Ｉ／Ｆという。）９を備えるとともに、記録媒体１０が着脱可能とされている。
【００２４】
記録媒体１０は、半導体メモリーを用いたいわゆるメモリーカード、記録可能なＤＶＤ（Digital Versatile Disk）や記録可能なＣＤ（Compact Disc）等の光記録媒体、磁気ディスクなどの種々のものを用いるようにすることが考えられるが、この実施の形態においては、記録媒体１０として例えば記録可能なＤＶＤを用いるものとして説明する。
【００２５】
そして、カメラ部１は、図１に示すように、光学ブロック１１、ＣＣＤ（Charge Coupled Device）１２、前処理回路１３、光学ブロック用ドライバ１４、ＣＣＤ用ドライバ１５、タイミング生成回路１６とを備えたものである。ここで、光学ブロック１１は、レンズ、フォーカス機構、シャッター機構、絞り（アイリス）機構などを備えたものである。
【００２６】
また、制御部５は、ＣＰＵ（Central Processing Unit）５１、ＲＡＭ（Random Access Memory）５２、フラッシュＲＯＭ（Read Only Memory）５３、時計回路５４が、システムバス５５を通じて接続されて構成されたマイクロコンピュータであり、この実施の形態の撮像装置の各部を制御することができるものである。
【００２７】
ここで、ＲＡＭ５２は、処理の途中結果を一時記憶するなど主に作業領域として用いられるものである。また、フラッシュＲＯＭ５３は、ＣＰＵ５１において実行する種々のプログラムや、処理に必要になるデータなどが記憶されたものである。また、時計回路５４は、現在年月日、現在曜日、現在時刻を提供することができるとともに、カレンダー機能をも備えたものであり、撮影日時などを提供するなどのことができるものである。
【００２８】
そして、画像の撮影時においては、光学ブロック用ドライバ１４は、制御部５からの制御に応じて、光学ブロック１１を動作させるようにする駆動信号を形成し、これを光学ブロック１１に供給して、光学ブロック１１を動作させるようにする。光学ブロック１１は、ドライバ１４からの駆動信号に応じて、フォーカス機構、シャッター機構、絞り機構が制御され、被写体の画像を取り込んで、これをＣＣＤ１２に対して提供する。
【００２９】
ＣＣＤ１２は、光学ブロック１１からの画像を光電変換して出力するものであり、ＣＣＤドライバ１５からの駆動信号に応じて動作し、光学ブロック１１からの被写体の画像を取り込むとともに、制御部５によって制御されるタイミング生成回路１６からのタイミング信号に基づいて、取り込んだ被写体の画像（画像情報）を電気信号として前処理回路１３に供給する。
【００３０】
なお、上述のように、タイミング生成回路１６は、制御部５からの制御に応じて、所定のタイミングを提供するタイミング信号を形成するものである。また、ＣＣＤドライバ１５は、タイミング生成回路１６からのタイミング信号に基づいて、ＣＣＤ１２に供給する駆動信号を形成するものである。
【００３１】
前処理回路１３は、これに供給された電気信号の画像情報に対して、ＣＤＳ（Correlated Double Sampling）処理を行って、Ｓ／Ｎ比を良好に保つようにするとともに、ＡＧＣ（Automatic Gain Control）処理を行って、利得を制御し、そして、Ａ／Ｄ（Analog/Digital）変換を行って、デジタル信号とされた画像データを形成する。
【００３２】
前処理回路１３からのデジタル信号とされた画像データは、ＤＳＰ２に供給される。ＤＳＰ２は、これに供給された画像データに対して、ＡＦ（Auto Focus）、ＡＥ（Auto Exposure）、ＡＷＢ（Auto White Balance）などのカメラ信号処理を施す。このようにして種々の調整がされた画像データは、所定の圧縮方式でデータ圧縮され、システムバス５５、媒体Ｉ／Ｆ４を通じて、この実施の形態の撮像装置に装填された記録媒体１０に供給され、後述もするように記録媒体１０にファイルとして記録される。
【００３３】
また、記録媒体１０に記録された画像データは、タッチパネルやコントロールキーなどからなる操作部６を通じて受け付けたユーザからの操作入力に応じて、目的とする画像データが媒体Ｉ／Ｆ４を通じて記録媒体１０から読み出され、これがＤＳＰ２に供給される。
【００３４】
ＤＳＰ２は、記録媒体１０から読み出され、媒体Ｉ／Ｆ４を通じて供給されたデータ圧縮されている画像データについて、そのデータ圧縮の解凍処理（伸張処理）を行い、解凍後の画像データをシステムバス５５を通じて、ＬＣＤコントローラ７に供給する。ＬＣＤコントローラ７は、これに供給された画像データからＬＣＤ８に供給する画像信号を形成し、これをＬＣＤ８に供給する。これにより、記録媒体１０に記録されている画像データに応じた画像が、ＬＣＤ８の表示画面に表示される。
【００３５】
なお、画像の表示の形態は、ＲＯＭに記録された表示処理プログラムに従う。つまり、この表示処理プログラムは後述するファイルシステムがどのような仕組みで記録されているのか、どのように画像を再生するのかというプログラムである。
【００３６】
また、この実施の形態の撮像装置には、外部Ｉ／Ｆ９が設けられている。この外部Ｉ／Ｆ９を通じて、例えば外部のパーソナルコンピュータと接続して、パーソナルコンピュータから画像データの供給を受けて、これを自機に装填された記録媒体に記録したり、また、自機に装填された記録媒体に記録されている画像データを外部のパーソナルコンピュータ等に供給したりすることもできるものである。
【００３７】
また、外部Ｉ／Ｆ９に通信モジュールを接続することにより、例えば、インターネットなどのネットワークに接続して、ネットワークを通じて種々の画像データやその他の情報を取得し、自機に装填された記録媒体に記録したり、あるいは、自機に装填された記録媒体に記録されているデータを、ネットワークを通じて目的とする相手先に送信したりすることもできるものである。
【００３８】
また、外部のパーソナルコンピュータやネットワークを通じて取得し、記録媒体に記録した画像データなどの情報についても、上述したように、この実施の形態の撮像装置において読み出して再生し、ＬＣＤ８に表示してユーザが利用することももちろんできるようにされている。
【００３９】
なお、外部Ｉ／Ｆ９は、ＩＥＥＥ（Institute of Electrical and Electronics Engineers）１３９４、ＵＳＢ（Universal Serial Bus）などの有線用インターフェースとして設けることも可能であるし、光や電波による無線インターフェースとして設けることも可能である。すなわち、外部Ｉ／Ｆ９は、有線、無線のいずれのインターフェースであってもよい。
【００４０】
このように、この実施の形態の撮像装置は、被写体の画像を撮影して、当該撮像装置に装填された記録媒体１０に記録することができるとともに、記録媒体に記録された画像データを読み出して、これを再生し、利用することができるものである。なお、この実施の形態の撮像装置は、上述もしたように、主に動画像を撮影するものであるが、静止画像を撮影して記録媒体に記録することもできるものである。
【００４１】
また、外部のパーソナルコンピュータやネットワークを通じて、画像データの提供を受けて、これを自機に装填された記録媒体に記録したり、また、読み出して再生したりすることもできるものである。
【００４２】
そして、この実施の形態の撮像装置においては、操作部６にいわゆるブックマークキーが設けられており、被写体を撮像して画像データ（動画像データ）を得て、これを記録媒体１０に動画像ファイルとして記録するようにしている撮影時において、注目すべき画像を撮影した場合には、ブックマークキーを押下操作することにより、その押下操作したタイミングに対応する動画像データの位置にブックマークを付与するようにするとともに、その位置の画像を静止画像データとして取り込んで、記録対象の動画像データ（動画像ファイル）と対応付けて管理することができるようにしている。
【００４３】
また、この実施の形態の撮像装置においては、撮影開始時（撮影開始直後）の画像と撮影終了時（撮影終了直前）の画像とを、静止画像データとして取得し、これを記録対象の動画像データ（動画像ファイル）と関連付けて管理することもできるようにしている。
【００４４】
また、この実施の形態の撮像装置においては、自機に装填された記録媒体に動画像ファイとして記録されている動画像データを再生するようにしている場合に、注目すべき画像が再生された場合に、ブックマークキーを押下操作することにより、その押下操作したタイミングに対応する動画像データの位置にブックマークを付与するようにするとともに、その位置の画像を静止画像データとして取り込んで、再生している動画像ファイルと関連付けて管理することができるようにしている。
【００４５】
また、この実施の形態の撮像装置においては、動画像ファイルに対して、テキストデータや音声メモデータなどの付随情報を付加することができるようにしている。これらの付随情報についても、動画像ファイルと関連付けて管理することができるようにしている。
【００４６】
そして、記録媒体に記録された複数の画像ファイルのそれぞれについて、ブックマークキーが操作された時点に対応する動画像データ上の位置やその位置の静止画像のサムネイル、撮影日時、テキストデータがある場合にはテキストアイコン、音声メモデータがある場合には、音声メモアイコン等を一覧表示することができるようにされる。
【００４７】
このようにすることによって、記録媒体に記録されている動画像データ（動画像ファイル）についての情報を俯瞰できるようにし、目的とする動画像ファイルを目的とする場面から再生したり、不必要な部分を飛ばして再生するようにしたり、あるいは、必要な部分のみを寄せ集めるようにしたり、不必要な部分を物理的に削除したりするなどの種々の編集処理も簡単に行うことができるようにされる。
【００４８】
なお、上述もしたように、この実施の形態の撮像装置においては、各動画像ファイルに対してテキストメモ（テキストデータ）や音声メモ（音声データ）を付加することができるようにしている。動画像ファイルに対するテキストデータの付加は、操作部６に設けられる操作キーを操作することにより行うことができ、また、音声データの付加は、図示しないマイクロホンを通じて行うことができるようにされている。このマイクロホンは、撮影時において音声を収音し、記録媒体に記録できるようにするために用いられるものと同じものを用いてもよいし、別途設けるようにしてもよい。
【００４９】
［動画像データ等の管理方式について］
次に、この実施の形態の撮像装置においての動画像データと、これに付随する静止画像データ、テキストデータ、音声メモデータなどの付随情報（付加情報）とを管理するための管理方式について説明する。ここでは、記録媒体に複数のファイルとして記録されている複数の動画像データのそれぞれの管理情報などを、動画像ファイルとは分離して一括管理する方式について説明する。図２は、この一括管理方式の概要について説明するための図である。
【００５０】
図２に示すように、この例の場合には、記録媒体１０には、ＡＶ（Audio/Visual）管理情報１０１、動画像ファイルＡ、動画像ファイルＢ、動画像ファイルＣが記録されているものとする。この一括管理方式の場合には、図２において、ＡＶ管理情報１０１が示すように、各動画像データ（動画像ファイル）の管理情報は、動画像データファイルＡ、Ｂ、Ｃとは別ファイルにおいて管理され、ＡＶ管理情報の各エントリ情報（登録情報）と動画像ファイルとは予め決められるポインタによって結びつけられるようにしている。
【００５１】
図３は、ＡＶ管理情報の一例を説明するための図である。この例の場合には、ＡＶ管理情報は、タイトルファイル１０１ａと、サムネイルファイル１０１ｂと、プロパティファイル１０１ｃとを含んでいる。これらの各ファイルには、ファイルとして記録されている各動画像データに対する種々の情報がエントリ情報として保持するようにされている。
【００５２】
タイトルファイル１０１ａに登録されているタイトルエントリ０、１、２、…のそれぞれは、動画像ファイルＡ、Ｂ、Ｃ、…のそれぞれについてのコメント、メモ、注記などといった例えばユーザにより入力するようにされた主にテキストデータを保持する。
【００５３】
また、サムネイルファイル１０１ｂに登録されているサムネイルエントリ０、１、２、…のそれぞれは、動画像ファイルの画像データにより形成される静止画像の縮小画像データであり、１種類に限らず複数の縮小画像を持つようにすることも可能なものである。
【００５４】
また、プロパティファイル１０１ｃに登録されているプロパティエントリ０、１、２、…のそれぞれは、ファイルとして記憶されている動画像データのそれぞれについての種々の管理情報を保持するものである。そして、各プロパティエントリのそれぞれには、図３において、プロパティエントリｎ部分に示したように、例えば、ファイルポインタＰｔ、オリジナル記録ファイルフラグａａ、撮影日時情報ｂｂ、修正日時情報ｃｃが含まれるようにされる。
【００５５】
ファイルポインタＰｔは、当該プロパティエントリに対応する動画像ファイルを特定するための情報である。また、オリジナル記録ファイルフラグａａは、この撮像装置において撮影されて記録媒体に記録された動画像データか否かを示すものである。例えば、オリジナル記録ファイルフラグａａが、「１」の場合には、この撮像装置により撮影された動画像データのファイルであることを示し、「０」の場合には、この撮像装置により撮影されたのではない動画像データのファイル、すなわち、別の機器で記録されたか、外部から提供された動画像データのファイルであることを示す。
【００５６】
また、撮影日時情報ｂｂは、この撮像装置において撮影することにより取り込まれ、記録媒体に記録された動画像データの撮影日時を示すものである。修正日時情報ｃｃは、その動画像データの修正処理が行われた日時を示すものである。しかし、外部から提供された動画像データの場合には、修正日時情報ｃｃは、その画像データをこの撮像装置が取得した日時である取得日時を示すものとして用いるようにされる。
【００５７】
そして、動画像ファイル１つに対しては、ＡＶ管理情報として、タイトルエントリとサムネイルエントリとプロパティエントリとを設けることができるようにされる。各動画像ファイルのそれぞれと、タイトルエントリ、サムネイルエントリとは、プロパティエントリを介して間接的に関連付けられている。
【００５８】
したがって、図３に示した例の場合には、動画像ファイルＡに対しては、ＡＶ管理情報として、タイトルエントリｎ、サムネイルエントリｎ、プロパティエントリｎが設けられ、動画像ファイルＢに対しては、タイトルエントリ２、サムネイルエントリ２、プロパティエントリ２が設けられている。同様に、動画像ファイルＣに対しては、タイトルエントリｎ＋１、サムネイルエントリｎ＋１、プロパティエントリｎ＋１が設けられている。
【００５９】
そして、画像データについての管理情報の一括管理方式を用いている場合であって、記録媒体に記録されている動画像データの中から、目的とする画像データを検索するなどのために、撮影日時によって画像データを分類しようとする場合には、各動画像ファイルに直接アクセスしなくても、ＡＶ管理情報の１つであるプロパティファイルの各プロパティエントリの情報を参照することにより、分類処理を行うことができるようにされる。
【００６０】
具体的には、撮影日時により記録媒体に記録されている動画像ファイルをサーチする場合には、ＣＰＵにより、プロパティファイルの情報が参照され、画像の撮影日時がサーチされ分類するようにされる。この後、プロパティファイル上の撮影日時情報を含むプロパティエントリが指し示す動画像ファイルの画像データによる画像、あるいは、サムネイルエントリのサムネイルデータによる縮小画像が、分類結果に応じてＬＣＤ８に表示するようにされる。
【００６１】
このように、記録媒体に記録した動画像データについての管理情報を、動画像ファイルとは別個に設けることにより、動画像ファイルの検索、サーチの時間が格段に短縮される。このことは、記録媒体として、ＤＶＤ等の光ディスク媒体を用いた場合を想定すると、容易に理解できる。
【００６２】
そして、この実施の形態の撮像装置においては、操作部６のブックマークキーが押下操作されるごとに、処理対象（記録対象または再生対象）の動画像ファイルのデータ上の位置を示す情報と、その位置の画像を静止画像として取り込んだ静止画像データとを、処理対象の動画像ファイルと対応付けて管理する。
【００６３】
このため、この実施の形態の撮像装置においては、以下に詳述するように、プロパティエントリ中に、ブックマークキーが押下されタイミングに対応する一連の動画像データ上の位置を示すマークエントリを作成する。また、ブックマークキーが押下操作されたタイミングに対応する位置の静止画像データを縮小処理してサムネイルデータを形成し、これをサムネイルファイ１０１ｂに記録保持する。このサムネイルデータを管理するために、当該プロパティエントリとは別に、子プロパティエントリを作成するとともに、当該プロパティエントリ中に子プロパティエントリを特定するための子プロパティポインタを作成するようにしている。
【００６４】
図４は、ブックマークキーが押下操作されたタイミングに対応する動画像データ上の位置（ブックマーク点）と、ブックマーク点に対応する位置の静止画像データを管理する場合のＡＶ管理情報１０１を説明するための図である。ここでは、この実施の形態の撮像装置により撮影することにより、被写体の動画像を動画像ファイルＣとして記録媒体１０に記録しているときに、ブックマークキーが押下操作された場合を例にして説明する。
【００６５】
上述もしたように、撮影が開始されると、撮影画像（動画像）が動画像データとして記録媒体１０に記録される。ここでは、上述もしたように、撮影画像は動画像ファイルＣとして記録される。この場合、撮影が開始されるとともに、プロパティエントリｎが形成されるとともに、撮影開始時に取り込んだ画像のサムネイル（開始静止画像（開始サムネイル））が形成され、これを保持するサムネイルエントリｎが形成される。
【００６６】
プロパティエントリｎの内容は、上述もしたように、ファイルポインタＰｔ、オリジナル記録フラグａａ、撮影日時ｂｂ、修正日時ｃｃ等である。また、撮影終了後などの適当なタイミングで、動画像ファイルＣに対して、例えば、「北海道旅行にて」などのようにテキストデータが入力された場合には、これがタイトルエントリｎとして登録されることになる。
【００６７】
そして、撮影中（動画像ファイルＣの作成中）において、操作部６のブックマークキーが押下操作されると、撮像装置のＣＰＵ５１は、媒体Ｉ／Ｆ４を通じて、図４に示すように、記録媒体１０に作成されているＡＶ管理情報１０１のプロパティファイル１０１ｃの中のプロパティエントリｎに、ブックマーク点を示すマークエントリ１を形成する。このマークエントリは、撮像開始からブックマーク点までの時間情報であり、ブックマークキーが押下操作されたタイミングに対応する動画像データの位置を示すものである。
【００６８】
同時にＣＰＵ５１は、例えば、カメラＤＳＰ２を制御して、ブックマーク点の撮像画像をサムネイル画像（縮小静止画像）として取り込んで、これを媒体Ｉ／Ｆ４を通じて記録媒体１０のＡＶ管理ファイル１０１のサムネイルファイル１０１ｂにサムネイルエントリＸ１として記録するが、これを管理するため、上述もしたように、子プロパティエントリｎの１を作成し、この子プロパティエントリｎの１中に、サムネイルエントリＸ１を指定するためのサムネイルインデックスＸ１を作成する。
【００６９】
そして、子プロパティエントリｎの１を、動画像ファイルＣに対応付けるために、動画象ファイルＣのプロパティエントリｎ中に、子プロパティエントリｎの１に関連付けるための子プロパティポインタ１を形成する。
【００７０】
そして、動画像ファイルＣの作成中において、ブックマークキーが、再度、押下操作されると、上述した処理が繰り返され、プロパティエントリｎにマークエントリ２を形成し、ブックマーク点の撮像画像からサムネイル画像を形成して、これをサムネイルエントリＸ２に登録し、これを管理するための子プロパティエントリｎの２を形成して、これとプロパティエントリｎを関連付けるための子プロパティポインタ２をプロパティエントリｎ中に形成する。
【００７１】
このようにすることにより、マークエントリ１、２、…により、ブックマークが付与された（打たれた）動画像データ上の位置を特定でき、そのブックマーク点に対応する位置のサムネイル画像を利用することができるようにされる。
【００７２】
以上をまとめれば、撮影中にブックマークキーが押下操作された場合には、（１）撮影されて記録媒体に記録される動画像データ上の位置を示すマークエントリがプロパティエントリ中に形成される。同時に、（２）ブックマーク点の撮像画像のサムネイル画像（縮小静止画像）が形成され、これをサムネイルファイル１０１ｂにサムネイルエントリとして記録される。この場合、ブックマーク点のサムネイルエントリを管理するために、（３）子プロパティエントリが形成されるとともに、この子プロパティエントリと記録中の動画像データとを関連付けるために、当該プロパティエントリ中に子プロパティポインタが形成される。
【００７３】
この（１）、（２）、（３）が、ブックマークキーが押下されるごとに行われ、撮影開始から撮影終了までの１まとまりの動画像データ（動画像ファイル）に対して、複数のブックマーク点を設定し、各ブックマーク点のサムネイル画像を保持して利用することができるようにしている。
【００７４】
また、この実施の形態の撮像装置の場合には、開始サムネイルだけでなく、撮影が終了するようにされた場合には、その直前に取り込んだ画像のサムネイル（終了静止画像（終了サムネイル））を形成し、これを上述したブックマーク点のサムネイル画像と同様に、サムネイルエントリに格納して利用することができるようにしている。
【００７５】
さらに、この実施の形態の撮像装置においては、子プロパティエントリの中にタイトルインデックスを設け、タイトルエントリとの対応付けも行うことができるようにしている。上述もしたように、タイトルエントリは、主にテキスト情報を保持するものであるが、テキスト情報だけでなく、画像情報も保持することができるものである。
【００７６】
このため、この実施の形態の撮像装置においては、例えば、サムネイルエントリに格納したサムネイル画像と同じ画像であるが、より解像度の高い静止画像を形成する画像データをタイトルエントリＸ１、Ｘ２、…に格納するようにし、例えば、サムネイル画像だけでは詳細が確認できない場合などにおいて、タイトルエントリに格納した高解像度の画像データによる画像を提供するようにすることもできるようにされる。
【００７７】
これにより、例えば、動画像ファイルＣについては、タイトルプロパティｎとしてテキストデータを付加することができるとともに、動画像ファイルＣに対して付与されたブックマーク点のサムネイル画像に対応する高解像度画像データが、タイトルプロパティＸ１、Ｘ２、…として保持され、動画像ファイルＣに対する付随情報として用いることができるようにされる。
【００７８】
なお、この実施の形態の撮像装置においては、各動画像ファイルに対して、タイトルプロパティのテキストデータの場合と同様に、音声メモを付すことができるようにされる。すなわち、撮影終了後などの所定のタイミングで、この実施の形態の撮像装置のユーザは、音声メモを入力し、これを音声プロパティとして管理することもできるようにされている。
【００７９】
［サムネイル画像の利用態様について］
上述のように、ＡＶ管理情報１０１により管理されるブックマーク点のサムネイル画像の利用態様の一例について説明する。図５、図６は、ブックマーク点のサムネイル画像の利用態様の一例を説明するための図である。
【００８０】
図４を用いて説明したように、この実施の形態の撮像装置は、撮影開始から撮影終了までを１つの記録単位（撮影単位）とし、１つの記録単位の動画像データを１ファイルとして記録媒体１０に記録することができるとともに、各画像ファイルに対しては、開始サムネイル、終了サムネイル、複数のブックマーク点のサムネイル、さらに、テキストメモや音声メモを対応付けて管理することができるようにしている。
【００８１】
そこで、撮影終了後において、撮影した動画像データ（画像ファイル）の再生を行うようにすると、ＣＰＵ５１は、記録媒体１０のＡＶ管理情報１０１を参照して、図５に示すような、ブックマークの一覧表を形成し、これをＬＣＤコントローラ７を通じてＬＣＤ８に表示するようにする。
【００８２】
この場合のブックマークの一覧表は、動画像ファイルごとにサムネイル等を表示するようにしたものである。すなわち、図５において、符号ＦＬ１、ＦＬ２、ＦＬ３、ＦＬ４のそれぞれは、記録媒体１０に記録された、異なる動画像ファイルイを指し示すものである。そして、各動画ファイルごとに、ブックマーク点におけるサムネイル画像と、開始サムネイル画像と、終了サムネイル画像と、撮影日時と、テキストメモや音声メモの有無を示すアイコン等が表示される。
【００８３】
図５の例の場合、動画像ファイルＦＬ１は、ブックマーク点のサムネイル画像１Ｂ１、１Ｂ２を有し、開始サムネイル画像１ＳＴ、終了サムネイル画像１ＥＤを有し、さらにテキストアイコン１ＴＸ、音声データアイコン１Ａｕによって、テキストメモタと音声メモを付随データと有していることを示している。また、動画像ファイルＦＬ１は、撮影日情報１ＤＴによって、１２月２２日の１２時２分３秒に撮影が開始されたものであることを示している。
【００８４】
ここで、テキストアイコン１ＴＸ、音声データアイコン１Ａｕを選択するようにすれば、テキストメモがＬＣＤ８に出力され、また、音声メモがこの実施の形態の撮像装置の図示しないスピーカーから放音するようにされる。なお、付随情報としてブックマークが記録された録画単位の開始サムネイル画像と終了サムネイル画像を示すことで録画単位とブックマーク点の間の関連性も容易に示すことができる。
【００８５】
同様に、動画像ファイルＦＬ２は、ブックマーク点のサムネイル画像２Ｂ１を有し、開始サムネイル画像２ＳＴ、終了サムネイル画像２ＥＤを有し、さらにテキストアイコン２ＴＸによって、テキストデータを付随データと有していることを示している。また、動画像ファイルＦＬ２は、撮影日情報２ＤＴによって、１２月２２日の１５時２３分２５秒に撮影が開始されたものであることを示している。
【００８６】
同様に、動画像ファイルＦＬ３は、ブックマーク点のサムネイル画像３Ｂ１、３Ｂ２、３Ｂ３を有し、開始サムネイル画像３ＳＴ、終了サムネイル画像３ＥＤを有し、さらにテキストアイコン３ＴＸ、音声データアイコン３Ａｕによって、テキストデータと音声データを付随データと有していることを示している。また、動画像ファイルＦＬ３は、撮影日情報３ＤＴによって、１２月２３日の９時３０分１５秒に撮影が開始されたものであることを示している。
【００８７】
同様に、動画像ファイルＦＬ４は、ブックマーク点のサムネイル画像４Ｂ１、４Ｂ２、４Ｂ３を有し、開始サムネイル画像４ＳＴ、終了サムネイル画像４ＥＤを有し、さらにテキストアイコン４ＴＸによって、テキストデータを付随データと有していることを示している。また、動画像ファイルＦＬ４は、撮影日情報４ＤＴによって、１２月２４日の１９時１５分３０秒に撮影が開始されたものであることを示している。
【００８８】
これによって、各動画像ファイルＦＬ１、ＦＬ２、ＦＬ３、ＦＬ４のそれぞれは、いつ撮影されたもので、どのような画像を撮影したものであり、ブックマーク点はどのようなものが付加されているかを明確に示すとともに、記録媒体１０に記録されている複数の動画像ファイルについての情報を一覧表示することができ、記録媒体１０に記録されている全ての動画像ファイルの全体を俯瞰することができるようにしている。
【００８９】
なお、ブックマーク点のサムネイルが４枚以上の場合には、ブックマーク点のサムネイル画像の横方向（画面の横方向）へのスクロールによりその全部を確認することができるし、また、１画面に表示できないファイル数の動画像ファイルが存在する場合には、画像の縦方向（画面の縦方向）へのスクロールにより全ての動画像ファイルについての情報を見ることができるようにしている。
【００９０】
さらに、１つの動画像ファイルについてのブックマーク点のサムネイル画像の一覧表示を行うようにした場合には、図５に示した表示画面において、目的とする動画像ファイルの表示欄にカーソル位置を合わせ、操作部６の決定キーを押下操作するなどの所定の操作を行うことにより、例えば、図６に示すように、指示された動画像ファイルの動画像データに対して付随するブックマーク点のサムネイル画像の一覧表示ができるようにされている。
【００９１】
図６は、図５に示した場合の動画像ファイルＦＬ３のサムネイル画像の一覧表示の例を説明するための図である。図６において、符号３Ｂ１〜符号３Ｂ１５は、動画像ファイルイＦＬ３に付随するブックマーク点のサムネイル画像である。また、この図６のサムネイル画像の一覧表においても、開始サムネイル画像３ＳＴ、終了サムネイル画像３ＥＤを有し、さらにテキストアイコン３ＴＸ、音声データアイコン３Ａｕによって、テキストデータと音声データを付随データと有していることが示される。
【００９２】
そして、ブックマーク点のサムネイル画像を通じて、選択したサムネイル画像移行の動画像データを再生するようにしたり、選択した２つのサムネイル画像で示される画像データ区間を再生しないようにしたりするなどのことが、簡単に行えるようにしている。
【００９３】
［撮像装置の動作について］
次に、この実施の形態の撮像装置の動作について、記録（撮像）処理時と再生処理時とに分けて説明することにする。
【００９４】
［記録（撮影）処理について］
まず、記録（撮影）処理について説明する。図７は、この実施の形態の撮像装置においての記録（撮像）処理について説明するためのフローチャートである。この図７に示す処理は、操作部６の記録開始キーが操作され、撮影が開始するようにされた場合に、ＣＰＵ５１において実行するようにされる。
【００９５】
まず、ＣＰＵ５１は、カメラ部１、カメラＤＳＰ２などの各部を制御し、撮影した被写体の動画像を記録媒体１０に記録する処理を開始する（ステップＳ１０１）。そして、上述もしたように、ＣＰＵ５１は、媒体Ｉ／Ｆ４を通じて、自機に装填された記録媒体１０に、記録する動画像ファイルに対応するプロパティエントリを作成する（ステップＳ１０２）。このステップＳ１０２の処理は後述する子プロパティエントリに対して親のプロパティエントリとなるべきものである。
【００９６】
そして、ＣＰＵ５１は、記録開始時に最初に取り込んだ画像データからサムネイル画像（開始サムネイル画像）を作成し、これを記録している動画像ファイルに対応させるようにしたサムネイルエントリに格納する（ステップＳ１０３）。この後、ユーザからの操作入力を受け付けるようにし（ステップＳ１０４）、ユーザからの操作を受け付けたか否かを判断する（ステップＳ１０５）。
【００９７】
ステップＳ１０５の判断処理において、ユーザからの操作入力を受け付けていないと判断したときには、ステップＳ１０４からの処理を繰り返し、動画像の記録処理を続行する。ステップＳ１０５の判断処理において、ユーザからの操作入力を受け付けたと判断した場合には、ＣＰＵ５１は、受け付けた操作入力は、記録処理の終了を指示するものか否かを判断する（ステップＳ１０６）。
【００９８】
ステップＳ１０６の判断処理において、記録処理の終了を指示するものであると判断したときには、ＣＰＵ５１は、終了を指示する操作入力を受け付けた直前の画像データからサムネイル画像（終了サムネイル画像）を作成し、これを記録処理を終了する動画像ファイルに対応させるようにしたサムネイルエントリに格納する（ステップＳ１０７）。この後、ファイルをクローズするなどの種々の終了処理を行って（ステップＳ１０８）、この図７に示す記録処理を終了する。
【００９９】
一方、ステップＳ１０６の判断処理において、受け付けたユーザからの操作入力は、記録処理の終了を指示するものではないと判断したときには、受け付けた操作入力は、ブックマークキーの押下操作か否かを判断する（ステップＳ１０９）。このステップＳ１０９の判断処理において、受け付けた操作入力がブックマークキーの押下操作であると判断したときには、ＣＰＵ５１は、記録媒体１０に作成したプロパティエントリ中にマークエントリを作成する（ステップＳ１１０）。
【０１００】
そして、ＣＰＵ５１は、ブックマークキーの押下タイミングに対応する位置の画像データからサムネイル画像を形成して、これをサムネイルエントリに格納し（ステップＳ１１１）、このブックマーク点のサムネイル画像のサムネイルエントリを管理するための子プロパティエントリをステップＳ１０２に形成した親にプロパティエントリとは別に形成するとともに、この子プロパティエントリと親のプロパティエントリとを関連付けるための子プロパティポインタを親のプロパティエントリ中に形成して（ステップＳ１１２）、ステップＳ１０４からの処理を繰り返すようにする。
【０１０１】
なお、ステップＳ１０９の判断処理において、受け付けた操作入力がブックマークキーの押下操作ではないと判断したときには、受け付けた操作入力に応じた他の処理を行って（ステップＳ１１３）、ステップＳ１０４からの処理を繰り返すようにする。
【０１０２】
このように、動画像の撮影時においては、撮影開始時と撮影終了時のサムネイル画像だけでなく、ブックマークキーが押下操作された時点の画像のサムネイル画像も形成され、これが、図３、図４を用いて説明したように、記録媒体に記録するようにされている動画像ファイルと対応付けて管理できるようにしている。
【０１０３】
［再生処理について］
次に、再生処理について説明する。図８は、この実施の形態の撮像装置においての再生処理について説明するためのフローチャートである。この図７に示す処理は、操作部６の再生開始キーが操作され、自機に装填された記録媒体に記録されている動画像データの再生が開始するようにされた場合に、ＣＰＵ５１において実行するようにされる。
【０１０４】
まず、ＣＰＵ５１は、媒体Ｉ／Ｆ４を通じて自機に装填された記録媒体（この実施の形態においては記録媒体１０）から図３、図４を用いて説明したように形成されているＡＶ管理情報のデータに基づいて、例えば、図５を用いて説明したような態様のブックマークリスト（ブックマーク点のサムネイル画像等の一覧リスト）を作成して、ＬＣＤ８に表示するようにする（ステップＳ２０１）。
【０１０５】
そして、ＬＣＤ８に表示されたブックマークリストを通じて、再生するタイトル（動画像ファイル）の指示や、再生開始位置や削除区間などの指示をユーザから受け付け（ステップＳ２０２）、ステップＳ２０２で受け付けた指示に応じて、指示された動画像ファイルの再生を開始する（ステップＳ２０３）。この後、ユーザからの操作入力を受け付けるようにし（ステップＳ２０４）、ユーザからの操作を受け付けたか否かを判断する（ステップＳ２０５）。
【０１０６】
ステップＳ２０５の判断処理において、ユーザからの操作入力を受け付けていないと判断したときには、ステップＳ２０４からの処理を繰り返し、動画像の記録処理を続行する。ステップＳ２０５の判断処理において、ユーザからの操作入力を受け付けたと判断した場合には、ＣＰＵ５１は、受け付けた操作入力は、再生処理の終了を指示するものか否かを判断する（ステップＳ２０６）。
【０１０７】
ステップＳ２０６の判断処理において、再生処理の終了が指示されたと判断したときには、ＣＰＵ５１は、各部を制御して、再生を終了させる終了処理を行って（ステップＳ２０７）、この図８に示す処理を終了する。
【０１０８】
一方、ステップＳ２０６の判断処理において、受け付けたユーザからの操作入力は、再生処理の終了を指示するものではないと判断したときには、受け付けた操作入力は、ブックマークキーの押下操作か否かを判断する（ステップＳ２０８）。このステップＳ２０８の判断処理において、受け付けた操作入力がブックマークキーの押下操作であると判断したときには、ＣＰＵ５１は、記録媒体１０に作成されている当該再生中の動画像ファイル用のプロパティエントリ中にマークエントリを作成する（ステップＳ２０９）。
【０１０９】
そして、ＣＰＵ５１は、ブックマークキーの押下タイミングに対応する位置の画像データからサムネイル画像を形成して、これをサムネイルエントリに格納し（ステップＳ２１０）、このブックマーク点のサムネイル画像のサムネイルエントリを管理するための子プロパティエントリをステップＳ２０９で用いた親にプロパティエントリとは別に形成するとともに、この子プロパティエントリと親のプロパティエントリとを関連付けるための子プロパティポインタをステップＳ２０９で用いた親のプロパティエントリ中に形成して（ステップＳ２１１）、ステップＳ２０４からの処理を繰り返すようにする。
【０１１０】
なお、ステップＳ２０８の判断処理において、受け付けた操作入力がブックマークキーの押下操作ではないと判断したときには、受け付けた操作入力に応じた他の処理を行って（ステップＳ２１２）、ステップＳ２０４からの処理を繰り返すようにする。
【０１１１】
このように、動画像の再生時においては、ブックマーク点のサムネイル画像を参照して、そのサムネイル画像に対応するマークエントリを用いることにより、指示したブックマーク点からの再生や、指示したブックマーク点間の削除再生などができるようにされる。そして、再生時においても、再生画像を確認しながら、ブックマーク点を付与するようにし、これを記録時に付したブックマーク点と全く同様に使用することができるようにされる。
【０１１２】
そして、この実施の形態の撮像装置の場合には、動画像ファイルとは別に設けられるＡＶ管理を用いることによって、各動画像ファイルごとに、撮影開始時のサムネイル画像、撮影終了時のサムネイル画像、ブックマーク点のサムネイル画像等の一覧表示を行うことができるので、記録媒体に記録されている各動画像ファイルの内容などを俯瞰することができるようにされ、目的とする情報の検索や再生、さらには編集といった処理をしやすくすることができる。
【０１１３】
このように、この実施の形態の撮像装置においては、注目点を指定するブックマーク機能において、そのブックマークに関連する情報を全記録単位を通してリストアップし、そのブックマーク点に付随するサムネイル、音声メモ、テキスト情報などにもそのリストよりアクセス可能とすることにより全記録中の重要な点の概観を容易に俯瞰することをできるようにしている。
【０１１４】
［動画像データ等の管理方式の他の例について］
上述した実施の形態の撮像装置においては、動画像ファイルとは別個に設けられる、タイトルファイル、サムネイルファイル、プロパティファイルからなるＡＶ管理情報を用いて、各動画像ファイルについてのサムネイル画像の管理を行うようにしたが、これに限るものではない。例えば、図９に示すように、ブックマーク点のサムネイル画像だけを管理するブックマークサムネイルファイル２００をＡＶ管理情報１０１外に設けるようにしてもよい。
【０１１５】
この場合、ブックマークキーが押下操作されるごとに、そのブックマークキーが押下操作されたタイミングに対応する画像のサムネイル画像を形成し、ＡＶ管理情報１０１外のブックマークサムネイルファイル２００に格納するが、これと記録や再生の処理の対象となっている動画像ファイルとの関連付けを行うために、上述した実施の形態の場合と同様に、プロパティエントリに従属する子プロパティエントリによって、外部のブックマークサムネイルファイル２００の各サムネイル画像との関連付けを行うようにするとともに、親のプロパティエントリと子プロパティエントリとの関連付けは、親のプロパティエントリ中に設けるリファレンスリストｄｄによって行うようにする。
【０１１６】
つまり、図９において、点線で関連を示したように、プロパティエントリ内のリファレンスリストの情報により子プロパティエントリとの関連付けを行い、子プロパティエントリのサムネイルポインタによって、子プロパティエントリとブックマークサムネイルファイル２００内の各サムネイル画像Ｐ１、Ｐ２、…との関連付けを行うようにしている。
【０１１７】
なお、ブックマーク点に対応する処理対象の動画像データ上の位置を示すものとして、上述した実施の形態の場合と同様に、マークエントリを用いてもよいし、また、リファレンスリスト内に動画像データ上のブックマーク点を示す情報として、例えば、当該動画像データの先頭からの時間情報などを持つようにしてもよい。
【０１１８】
また、図１０に示すように、ブックマーク点のサムネイル画像を格納するファイルを設けることなく、ＡＶ管理情報内のプロパティファイルの対応するプロパティエントリ内に、そのプロパティエントリに対応する動画像ファイルに対応するサムネイル画像ｄｔ１、ｄｔ２、ｄｔ３、…のように格納して管理するようにすることもできる。この場合には、プロパティエントリと各ブックマーク点のサムネイル画像との関連付けを行う必要はなく。つまり、プロパティエントリ内のサムネイル画像は、そのプロパティエントリに対応する動画像データに対するものだけであるので、関連付けを明確に行わなくてもすむようになる。
【０１１９】
なお、この図１０に示す例の場合にも、ブックマーク点に対応する処理対象の動画像データ上の位置を示すものとして、上述した実施の形態の場合と同様に、マークエントリを用いてもよいし、また、サムネイル画像に対応付けて、当該動画像データの先頭からの時間情報などを持つようにしてもよい。
【０１２０】
また、図１１に示すように、動画像ファイル内に、オリジナル記録ファイルフラグａ、撮影日時ｂ、修正日時ｃ等の他、開始サムネイル画像、終了サムネイル画像、ブックマーク点のサムネイル画像等の種々のサムネイル画像をも格納するようにする。すなわち、主情報である動画像データとこれに付随するサムネイル画像等の付随データとを同じファイル内に格納するようにする。
【０１２１】
なお、この図１１の例の場合には、ブックマーク点に対応する処理対象の動画像データ上の位置を示す情報（マークエントリの情報に対応）についても、付随情報として動画像ファイルイ内に格納するようにされることになる。
【０１２２】
この図１１の例の場合には、各動画像データごとの情報の管理はしやすいが、各動画像ファイルを俯瞰するようにする場合には、各動画像データの全部を参照するようにしなければならなくなる。
【０１２３】
また、上述した管理方式の他にも、ブックマーク点の動画像データ上の位置と、ブックマーク点に対応する画像のサムネイル画像との関連付けを正確に行うことが可能な種々の方式を用いることができる。
【０１２４】
なお、上述の実施の形態においては、ブックマークキーを備えた操作部６が注目点の指示入力を受け付ける受付手段を構成し、ＣＰＵ５１を中心とする制御部５が、動画像データに注目点（ブックマーク点）を付与するマーク付与手段、サムネイル画像を形成するための静止画像を取り込む取込手段、各情報を動画像情報と関連付けて管理する管理手段としての機能を実現するようにしている。また、上述した実施の形態においては、撮像装置のＬＣＤ８が、ＬＣＤコントローラ７と協働することによって、ブックマーク点のサムネイルの一覧表示を行う出力手段として機能している。
【０１２５】
なお、上述の実施の形態においては、ブックマーク点のサムネイルの一覧表示をＬＣＤ８に行うようにしたが、これに限るものではない。例えば、外部Ｉ／Ｆ９に接続されたモニタ受像機やパーソナルコンピュータのモニタ装置にブックマーク点のサムネイルの一覧表示を行うようにすることもできるし、また、外部Ｉ／Ｆ９に接続されたプリンタにブックマーク点のサムネイルの一覧表を出力するようにすることもできる。
【０１２６】
また、上述の実施の形態においては、ブックマーク点に対応する位置の動画像データから、１フレーム分の画像データを抽出し、これを用いてサムネイル画像を形成するようにした。しかし、これに限るものではない。例えば、画像データをデジタルデータとしてＭＰＥＧ方式で圧縮して処理する場合に、他の用途のために、例えばＧＯＰごとなどの予め決められた処理単位ごとに画像データを抽出し、あるいは、画像データを抽出してサムネイル画像を形成するようにしている場合には、このように既に抽出したり作成したりするようにされている画像データをブックマーク点のサムネイル画像を形成するデータとして用いるようにしてもよい。
【０１２７】
また、動画像データを処理する撮像装置の処理能力が高い場合には、マークエントリなどの情報により特定される動画像データ上の位置の画像データを記録処理後や再生処理後に抽出して、ブックマーク点のサムネイル画像を作成するようにしてもよいし、ブックマーク点のサムネイル画像の一覧表の作成時において、サムネイル画像を作成するようにすることもできる。
【０１２８】
また、上述した実施の形態においては、この発明による情報処理装置、情報処理方法を撮像装置に適用した場合を例にして説明したが、これに限るものではない。例えば、ＶＴＲ、ＤＶＤレコーダー、ＣＤレコーダ、ＭＤレコーダなど、動画像情報の供給を受けて、これを種々の記録媒体に記録する記録装置や記録再生装置、あるいは、種々の記録媒体に記録されている動画像情報を再生する再生装置や記録再生装置にこの発明を適用することができる。
【図面の簡単な説明】
【０１２９】
【図１】この発明による装置、方法の一実施の形態が適用された撮像装置を説明するためのブロック図である。
【図２】データの管理方式の１つを説明するための図である。
【図３】データの管理方式の１つを説明するための図である。
【図４】データの管理方式の１つを説明するための図である。
【図５】ブックマーク点のサムネイル画像の利用態様の一例を説明するための図である。
【図６】ブックマーク点のサムネイル画像の利用態様の一例を説明するための図である。
【図７】図１に示した撮像装置における記録（撮影）処理を説明するためのフローチャートである。
【図８】図１に示した撮像装置における再生処理を説明するためのフローチャートである。
【図９】データの管理方式の他の例を説明するための図である。
【図１０】データの管理方式の他の例を説明するための図である。
【図１１】データの管理方式の他の例を説明するための図である。
【図１２】従来の記録再生装置におけるサムネイル画像の利用態様の一例を説明するための図である。
【符号の説明】
【０１３０】
１…カメラ部、１１…光学ブロック、１２…ＣＣＤ、１３…前処理回路、１４…光学ブロック用ドライバ、１５…ＣＣＤ用ドライバ、１６…タイミング生成回路、２…カメラＤＳＰ、３…ＳＤＲＡＭ３、４…媒体インターフェース、５…制御部、５１…ＣＰＵ、５２…ＲＡＭ、５３…フラッシュＲＯＭ、５４…時計回路、６…操作部、７…ＬＣＤコントローラ、８…ＬＣＤ、９…外部インターフェース、１０…記録媒体
【図１】
2005293339.tif 000003
【図２】
2005293339.tif 000004
【図３】
2005293339.tif 000005
【図４】
2005293339.tif 000006
【図５】
2005293339.tif 000007
【図６】
2005293339.tif 000008
【図７】
2005293339.tif 000009
【図８】
2005293339.tif 000010
【図９】
2005293339.tif 000011
【図１０】
2005293339.tif 000012
【図１１】
2005293339.tif 000013
【図１２】
2005293339.tif 000014